(57)【要約】【課題】複数のＳＴＡを有する無線（ワイヤレス）通信システムにおいてスマートアンテナを用いて測定を行なう方法を提供する。【解決手段】当該方法は、測定要求を第１のＳＴＡから第２のＳＴＡに送信することから開始される。少なくとも２つの測定パケットは、第２のＳＴＡから第１のＳＴＡに送信される。各測定パケットは異なるアンテナビームを使用して第１のＳＴＡにおいて受信される。第１のＳＴＡは、各測定パケットについて測定を実行し、その測定結果に基づいてアンテナビーム方向を選択する。【選択図】図４
2011188522.tif 000002
【特許請求の範囲】
【請求項１】
無線通信用のアンテナ選択のための方法であって、
前記方法は、
アンテナ選択手順を開始するステップと、
二つの測定パケットを連続的に受け取るステップと、
各パケットについて異なるアンテナを使用するステップと、
前記二つの測定パケットのそれぞれを測定するステップと、
前記二つの測定パケットのそれぞれを測定する前記ステップに基づいてアンテナを選択するステップと
を含むことを特徴とする方法。
【請求項２】
アンテナ選択手順を開始する前記ステップは、多数の測定パケットを要求するステップを含むことを特徴とする請求項１に記載の方法。
【請求項３】
二つの測定パケットを受け取る前記ステップは、前記二つの測定パケットのそれぞれを受け取る間にフレーム間隔の間待つステップを含むことを特徴とする請求項１に記載の方法。
【発明の詳細な説明】
【技術分野】
【０００１】
本発明は、一般的には、無線（ワイヤレス）通信システムに関し、さらに具体的には、無線通信システムにおいてスマートアンテナを利用する際の測定を効率化する方法と装置に関する。
【背景技術】
【０００２】
無線（ワイヤレス）ローカルエリアネットワーク（wireless local area network：ＷＬＡＮ）において、アクセスポイント（access point：ＡＰ）とステーション（station：ＳＴＡ）はスマートアンテナのフィーチャ（feature）、例えば、複数ビーム／指向性アンテナシステムを備えていることがある。ＡＰとＳＴＡのどちらも、別のＳＴＡとの間で送受信するのに最良ビームを決定するために測定を行なう必要がある。複数ビームをもつＳＴＡは、どのビームがそのＳＴＡに役立つ最良ビームであるかを推定するために異なるビームでスキャニング（scanning）を実行しているのが代表的である。ＡＰおよび／またはＳＴＡによって実行されるスキャニングは、ダミーパケット（dummy packet）、データパケット、ＩＥＥＥ８０２．１１規格の確認応答（ＡＣＫ）、またはブロードキャストパケット（broadcast packet）のどれかを使用する場合がある。これらの測定は頻繁に更新される必要がある。
【発明の概要】
【発明が解決しようとする課題】
【０００３】
ＡＰでは、ビームスイッチングアルゴリズム（beam switching algorithm）は、アンテナ測定のためにＳＴＡからのパケットを使用している。そのあと、最良ビーム（受信パケットの測定、例えば、受信パワーまたは信号対干渉プラス雑音比（signal to interference plus noise ratio：ＳＩＮＲ）が、そのＳＴＡにパケットを送信するために使用されている。そのＳＴＡでは、現行のビームスイッチングアルゴリズムは、そのＡＰのために正しい受信および送信アンテナ／ビームを決定するためにデータパケットまたはビーコン（beacon）を使用する場合がある。このアンテナ測定方法は、各ＳＴＡのための正しいビームを決定するのに十分な測定を得るために必要な時間量に起因して、余り効率的ではない。
【０００４】
このビーム選択方法のもう１つの問題は、ビーム選択が、送信と受信のどちらの場合も、受信パケットについて行なわれた測定に基づいていることである。しかしながら、実際には、送信のための最良ビームは、受信のための最良ビームと同じでないことがある（特に、周波数分割複信通信システム（frequency division duplex system）の場合）。
【課題を解決するための手段】
【０００５】
複数のＳＴＡを有する無線（ワイヤレス）通信システムにおいてスマートアンテナを用いて測定を行なう方法は、測定要求を第１のＳＴＡから第２のＳＴＡに送信することから開始される。少なくとも２つの測定パケットは第２のＳＴＡから第１のＳＴＡに送信される。各測定パケットは異なるアンテナビームを使用して第１のＳＴＡにおいて受信される。第１のＳＴＡは各測定パケットについて測定を実行し、その測定結果に基づいてアンテナビーム方向を選択する。
【０００６】
複数のＳＴＡを有する無線（ワイヤレス）通信システムにおいてスマートアンテナを用いて測定を行なう方法は、測定要求を第１のＳＴＡから第２のＳＴＡに送信することから開始される。少なくとも２つの測定パケットは第１のＳＴＡから第２のＳＴＡに送信され、各測定パケットは異なるアンテナビームを使用して送信される。第２のＳＴＡは各測定パケットを受信し、各測定パケットについて測定を実行する。第２のＳＴＡは測定結果に基づいて測定レポートを生成し、その測定レポートを第１のＳＴＡに送信する。第１のＳＴＡは測定レポートに基づいてアンテナビーム方向を選択する。
【０００７】
第１のＳＴＡと第２のＳＴＡを含む無線（ワイヤレス）通信システムにおいてスマートアンテナを用いて測定を行なうシステムにおいて、第１のＳＴＡは、第１の送信器／受信器と、第１の送信器／受信器に接続された第１のアンテナと、第１の送信器／受信器に接続された測定パケット要求デバイスと、第１の送信器／受信器に接続された測定パケット分析デバイスと、第１の送信器／受信器および測定パケット分析デバイスに接続されたビーム変更デバイスと、を具備し、第２のＳＴＡは、第２の送信器／受信器と、第２の送信器／受信器に接続された第２のアンテナと、第２の送信器／受信器に接続された測定パケット要求受信デバイスと、第２の送信器／受信器および測定パケット要求受信デバイスに接続された測定パケット送信デバイスと、を具備している。
【０００８】
第１のＳＴＡと第２のＳＴＡを含む無線（ワイヤレス）通信システムにおいてスマートアンテナを用いて測定を行なうシステムにおいて、第１のＳＴＡは、第１の送信器／受信器と、第１の送信器／受信器に接続された第１のアンテナと、第１の送信器／受信器に接続された測定パケット要求デバイスと、第１の送信器／受信器および測定パケット要求デバイスに接続された測定パケット送信デバイスと、第１の送信器／受信器および測定パケット送信デバイスに接続されたビーム変更デバイスと、第１の送信器／受信器およびビーム変更デバイスに接続された測定レポート分析デバイスと、を具備し、第２のＳＴＡは、第２の送信器／受信器と、第２の送信器／受信器に接続された第２のアンテナと、第２の送信器／受信器に接続された測定パケット要求受信デバイスと、第２の送信器／受信器に接続された測定パケット分析デバイスと、第２の送信器／受信器および測定パケット分析デバイスに接続された測定レポート生成バイスと、を具備している。
【図面の簡単な説明】
【０００９】
本発明の理解を容易にするために、以下では、例示の好適な実施形態について添付図面と関連付けて詳しく説明する。
【図１】測定要求パケットを示す図である。
【図２】測定パケットを示す図である。
【図３】測定レポートパケットを示す図である。
【図４】アンテナ測定を行なう方法を示すフローチャートである。
【図５】図４に示す方法の信号図である。
【図６】アンテナ測定を行なう第２の方法を示すフローチャートである。
【図７】図６に示す方法の信号図である。
【図８】物理層コンバージェンスプロトコル（ＰＬＣＰ）のフレームフォーマットを示す図である。
【図９】図４と図６に示す方法に従って測定情報を通信するシステムを示す図である。
【発明を実施するための形態】
【００１０】
以下において、「ステーション（station：ＳＴＡ）」という用語には、無線（ワイヤレス）送信／受信ユニット、ユーザ機器、固定式または移動式加入者ユニット、ページャ（pager）、または無線（ワイヤレス）環境で動作する能力を備えた他の種類のデバイスが含まれているが、これらに限定されない。以下において、「アクセスポイント（access point：ＡＰ）」という用語が言及されるときは、その用語には基地局（base station）、ノードＢ、サイトコントローラ、または無線（ワイヤレス）環境でインタフェースとなる他の種類のデバイスが含まれているが、これらに限定されない。
【００１１】
本発明は、スマートアンテナに対する測定サポートが対応していない問題を解決し、ＡＰ、ＡＰではないＳＴＡ、またはその両方に実装させることができる。本発明は、任意の２つのステーション（ＳＴＡ）間の送信アンテナまたは受信アンテナの各々に対する受信信号強度インジケータ（received signal strength indicator：ＲＳＳＩ）またはＳＩＮＲ測定を取得するためのシグナリングメカニズムを提供している。スキャニング間の受信測定を正しく更新するためのメカニズムも提供されている。
【００１２】
本発明は、「アンテナ測定（Antenna Measurement）」と呼ばれる、新カテゴリのアクションフレームを生成することによってアンテナ測定のためにアクションフレームを使用している。このカテゴリのアクションフレームには、測定要求パケット、測定応答パケット、およびダミー測定パケット用のアクションフィールドが含まれている。現在、アクションフレームはＷＬＡＮ標準（つまり、ＩＥＥＥ８０２．１１ｋ、ＩＥＥＥ８０２．１１ｅ）において定義されている。本発明の測定パケットは、別個の制御パケットまたは管理パケットの一部にすることもできる。
【００１３】
図１は、本発明による測定要求パケット１００を示している。測定要求パケット１００には、送信または受信パケット数フィールド１０２、送信アンテナ情報フィールド１０４、要求タイプフィールド１０６、および測定レポートの要求フィールド１０８が含まれている。送信または受信パケット数フィールド１０２は、フェージング（fading）環境およびアンテナ選択の時間などの、パラメータに依存している。一実施形態において、好ましい値はアンテナ当たり１０パケットである。送信アンテナ情報フィールド１０４には、アンテナビームＩＤまたはあるアンテナまたはアンテナ群を特定するために使用できる他の任意情報が含まれている。以下では、図４と図６を参照して、２つの可能な要求タイプフィールド１０６について説明する。なお、当然に理解されるように、測定を送信し、要求タイプフィールド１０６において示されうる応答を得るには多数の方法が可能である。測定レポート要求フィールド１０８には、ＳＮＲ測定のためのパラメータとＲＳＳＩ測定のためのパラメータが含まれている。
【００１４】
図２は、本発明による測定パケット２００を示している。測定パケット２００には、アンテナＩＤ情報２０２と現パケットのシーケンス番号２０４が含まれている。アンテナＩＤ情報２０２には、アンテナビームＩＤまたはあるアンテナまたはアンテナ群を特定するために使用できる他の任意要素が含まれている。
【００１５】
図３は、本発明による測定レポートパケット３００を示している。測定レポートパケット３００には、シーケンス情報３０２（パケットのシーケンス番号）、アンテナ情報３０４（すなわち、アンテナＩＤ情報）、測定されたＲＳＳＩ値３０６、および測定されたＳＮＲ値３０８が含まれている。
【００１６】
測定要求および応答は、ＳＴＡまたはＡＰによって開始することができる。測定要求パケット１００と測定レポートパケット３００は、ＳＴＡがＡＰに関連付けられている間いつでも送信することができる。各アンテナからの信号および各アンテナへの信号を測定するこれらの方法を、ＡＰに関連付けられる前に使用することをＳＴＡに許可することができる。
【００１７】
図４は、本発明の第一の実施形態に従ってＳＴＡ１とＳＴＡ２の２つのＳＴＡ間の測定パケット交換のための方法４００を示すフローチャートである。この方法４００は、ＳＴＡ１が測定要求パケットをＳＴＡ２に送信することから開始される（ステップ４０２）。ＳＴＡ２は測定要求パケットを受信し（ステップ４０４）、ＡＣＫをＳＴＡ１に送信する（ステップ４０６）。次に、ＳＴＡ２は測定パケットをＳＴＡ１に送信する（ステップ４０８）。ＳＴＡ１は測定パケットを受信し、測定パケットのＲＳＳＩおよび／またはＳＮＲを測定する（ステップ４１０）。測定要求パケットの中で指定されたパケットのすべてが送信されたかどうかの判断が行なわれる（ステップ４１２）。
【００１８】
パケットのすべてが送信されていなければ、ＳＴＡ１はその受信ビームを変更する（ステップ４１４）。ＳＴＡ２は、短フレーム間隔（short interframe space：ＳＩＦＳ）の間待ってから（ステップ４１６）、次のパケットを送信する（ステップ４０８）。好適な実施形態では、ＳＴＡ２はＳＩＦＳの間待っているが、この待ち時間は変わることがあり、ＳＩＦＳ以上または未満にすることができる。この待ち期間が可変であることは、アンテナビームをスイッチングするのに必要な時間の長さ、システムクロックの正確さ、および他の実装固有（implementation-specific）のタイミング問題に関係している。パケットのすべてが送信されていれば（ステップ４１２）、ＳＴＡ１は測定されたＲＳＳＩ値および／またはＳＮＲ値のすべてに基づいて送信ビームを選択し（ステップ４１８）、この方法は終了する（ステップ４２０）。
【００１９】
図５は方法４００の信号図であり、ＳＴＡ１（５０２）とＳＴＡ２（５０４）の間のパケット交換を示している。ＳＴＡ１（５０２）は、測定要求パケット５０６をＳＴＡ２（５０４）に送信する。ＳＴＡ２（５０４）は、ＳＩＦＳ５０８の間待ってから測定要求パケット５０６に応答してＡＣＫ５１０を送信する。次に、ＳＴＡ２（５０４）は、複数の測定パケット５１２1…５１２nを連続的に送信し、各測定パケット５１２は、ＳＩＦＳ５１４によって分離されている。ＳＩＦＳの間、ＳＴＡ１（５０２）はパケット５１２1…５１２nの各々が異なるビームで受信されるようにその受信ビームを変更する。そのあと、ＳＴＡ１（５０２）は、各パケット５１２の受信信号強度を使用して正しいビームを選択する。
【００２０】
図６は、本発明の第二の実施形態によるＳＴＡ１とＳＴＡ２の２つのＳＴＡ間の測定パケット交換の方法６００を示すフローチャートである。この方法６００は、ＳＴＡ１が測定要求パケットをＳＴＡ２に送信することから開始される（ステップ６０２）。ＳＴＡ２は測定要求パケットを受信し（ステップ６０４）、ＡＣＫをＳＴＡ１に送信する（ステップ６０６）。ＳＴＡ１はビームから測定パケットを送信する（ステップ６０８）。ＳＴＡ２は測定パケットを受信し、パケットのＲＳＳＩおよび／またはＳＮＲを測定する（ステップ６１０）。測定要求パケットによって指定された測定パケットのすべてが送信されたかどうかの判断が行なわれる（ステップ６１２）。測定パケットのすべてが送信されていなければ、ＳＴＡ１は送信ビームを変更し（ステップ６１４）、ＳＩＦＳの間待ってから（ステップ６１６）、新しいビームからパケットを送信する（ステップ６０８）。好適な実施形態では、ＳＴＡ１はＳＩＦＳの間待っているが、この待ち時間は変わることがあり、ＳＩＦＳ以上または未満にすることができる。この待ち期間が可変であることは、アンテナビームをスイッチングするのに必要な時間の長さ、システムクロックの正確さ、および他の実装固有（implementation-specific）のタイミング問題に関係している。
【００２１】
測定パケットのすべてが送信されていれば（ステップ６１２）、ＳＴＡ２は、受信した測定パケットのすべてに基づいて測定レポートを生成する（ステップ６２０）。ＳＴＡ２は測定レポートをＳＴＡ１に送信し（ステップ６２２）、ＳＴＡ１はその測定レポートについてのＡＣＫをＳＴＡ２に送信する（ステップ６２４）。ＳＴＡ１はその測定レポートに基づいて送信ビームを選択し（ステップ６２６）、この方法は終了する（ステップ６２８）。
【００２２】
図７は方法６００の信号図であり、ＳＴＡ１（７０２）とＳＴＡ２（７０４）の間のパケット交換を示している。ＳＴＡ１（７０２）は、測定要求パケット７０６をＳＴＡ２（７０４）に送信する。ＳＴＡ２（７０４）は、ＳＩＦＳ７０８の間待ってから、測定要求パケット７０６に応答してＡＣＫ７１０を送信する。ＳＴＡ１（７０２）は、ＳＩＦＳ７１２の間待ってからビームからの測定パケット７１４1…７１４nをＳＴＡ２（７０４）に送信する。各測定パケット７１４は、異なるビームから送信され、ＳＴＡ１（７０２）はＳＩＦＳ７１６の間待ってから測定パケット７１４を別のビームで送信する。ＳＴＡ２（７０４）は、測定パケット７１４を受信し、各パケットを測定する。測定パケット７１４のすべてがＳＴＡ２（７０４）によって受信されたあと、ＳＴＡ２（７０４）は、測定レポートパケット７１８を生成し、その測定レポートパケット７１８をＳＴＡ１（７０２）に送信する。そのあと、ＳＴＡ１（７０２）は、測定レポートパケット７１８を受信するとＡＣＫをＳＴＡ２（７０４）に送信する。そのあと、ＳＴＡ１（７０２）は測定レポートパケット７１８に従ってビーム方向を選択する。
【００２３】
測定要求およびレポート情報は、データパケット、管理パケット、または制御パケットの上に乗せて送信することができる。物理層シグナリング（physical layer signaling）は異なるビームから送信することができる。このシグナリングはなんらかの物理層シグニチャ（signature）（プリアンブル（preamble）など）またはビーム情報を介して異なるビームを特定するような形で送信することができる。これらの測定信号は１つのパケット（ＳＩＦＳの間待つことなく）の中で送信することができる。
【００２４】
受信信号強度を更新するパッシブ測定（passive measurement）も可能である。送信側からの受信信号強度は、スイッチされたビームまたはダイバーシティ手法に基づいて変化することがある。受信側は、送信側ノードのアンテナ使用に関するなんらの通知がないために、受信（または送信）用の正しいビームについて不正確な判断をすることで終わることがある。送信されたパケットは、ビームＩＤまたはダイバーシティ手法を指し示すもの（indication）を含んでいる。この情報は受信測定情報を更新するために受信側によって使用することができる。
【００２５】
送信アンテナ情報は、物理層コンバージェンスプロトコル（physical layer convergence protocol：ＰＬＣＰ）ヘッダの直後または媒体アクセス制御（medium access control：ＭＡＣ）ヘッダの中で送信される。この情報は、全方向性ビーム（omni-directional beam）またはアンテナビームＩＤを示す事前定義信号パターン（pre-defined signal pattern）にすることができる。このパターンはダイバーシティ手法（もしあれば）を示すために使用することもできる。
【００２６】
図８は本発明によるＰＬＣＰフレームフォーマット８００を示す図である。ＰＬＣＰフレーム８００には、プリアンブル８０２、信号フィールド８０４、ヘッダエラーチェック（header error check：ＨＥＣ）８０６および物理層サービスデータユニット（physical layer service data unit：ＰＳＤＵ）８１０が含まれている。本発明によれば、ＰＬＣＰフレーム８００には新フィールドである送信／受信アンテナＩＤ８０８が追加されている。ＰＬＣＰヘッダの後に送信アンテナ情報を追加することによって下位互換性（backward compatibility）が保たれている。送信アンテナＩＤを示すためにＭＡＣヘッダに追加の情報フィールドを組み入れることも可能である。
【００２７】
本発明は、ビームまたは指向性アンテナへの／からの信号強度を測定するための効率的方法を提供している。現行のＩＥＥＥ８０２．１１標準規格には、アンテナ測定のための定義された方法がない。ダミーパケット（dummy packet）またはビーコンの使用は非効率で、時間がかかっている。また、これは、指向性アンテナをフェージング（fading）環境やローミング（roaming）で使用することの制約になっている。本発明によればＳＴＡが送信と受信のために異なるビームを使用することを可能にしている。
【００２８】
図９は、それぞれ図４と図６を参照して上述した方法４００と６００に従って測定情報を通信するように構成されたシステム９００を示す図である。このシステム９００は、第１のＳＴＡ（ＳＴＡ１）９０２と第２のＳＴＡ（ＳＴＡ２）９０４を含んでいる。システム９００は説明の便宜上、２つのＳＴＡが別々のものとして示されているが、各々のＳＴＡは図示のコンポーネントをすべて備えた構成にすることが可能である。
【００２９】
第１のＳＴＡ９０２は、送信器／受信器９１２に接続された測定パケット要求デバイス９１０を具備し、送信器／受信器９１２はアンテナ９１４に接続されている。測定パケット送信デバイス９１６は、測定パケット要求デバイス９１０と送信器／受信器９１２に接続されている。測定パケット分析デバイス９１８は、送信器／受信器９１２に接続されている。ビーム変更デバイス９２０は、送信器／受信器９１２、測定パケット送信デバイス９１６および測定パケット分析デバイス９１８に接続されている。測定レポート分析デバイス９２２は、送信器／受信器９１２とビーム変更デバイス９２０に接続されている。
【００３０】
第２のＳＴＡ９０４は、送信器／受信器９３２に接続されたアンテナ９３０を具備している。測定パケット要求受信デバイス９３４は、送信器／受信器９３２に接続されている。測定パケット送信デバイス９３６は、送信器／受信器９３２と測定パケット要求受信デバイス９３４に接続されている。測定パケット分析デバイス９３８は、送信器／受信器９３２に接続されている。測定レポート生成デバイス９４０は、送信器／受信器９３２と測定パケット分析デバイス９３８に接続されている。
【００３１】
方法４００を実施するとき、システム９００は次のように動作するように構成されている。測定パケット要求デバイス９１０は、測定パケット要求を生成し、この要求は、送信器／受信器９１２に送信され、そこから第２のＳＴＡ９０４に送信される。送信器／受信器９３２は、測定パケット要求を受信し、それを測定パケット要求受信デバイス９３４に転送する。測定パケット要求受信デバイス９３４は、第１のＳＴＡ９０２に送信されるＡＣＫを生成する。
【００３２】
ＡＣＫを送信したあと、測定パケット要求受信デバイス９３４は、測定パケットを第１のＳＴＡ９０２に送信することを開始するように測定パケット送信デバイス９３６に通知する。測定パケットが第１のＳＴＡ９０２において受信されると、送信器／受信器９１２は、測定パケットを測定パケット分析デバイス９１８に転送し、そこで測定パケットのＲＳＳＩおよび／またはＳＮＲが測定される。要求された測定パケットのすべてが受信されていなければ、測定パケット分析デバイス９１８は、追加の測定パケットを受信するために第１のＳＴＡ９０２の受信ビームを変更するようにビーム変更デバイス９２０に通知する。
【００３３】
要求された測定パケットのすべてが受信されていれば、測定パケット分析デバイス９１８は以前に測定された値に基づいて適切な送信ビームを選択してから、選択した送信ビームをビーム変更デバイス９２０に通知する。
【００３４】
方法６００を実施するとき、システム９００は次のように動作するように構成される。測定パケット要求デバイス９１０は、測定パケット要求を生成し、この要求は送信器／受信器９１２に送信され、そこから第２のＳＴＡ９０４に送信される。送信器／受信器９３２は、測定パケット要求を受信し、それを測定パケット要求受信デバイス９３４に転送する。測定パケット要求受信デバイス９３４は、第１のＳＴＡ９０２に送信されるＡＣＫを生成する。
【００３５】
ＡＣＫを受信すると、測定パケット要求デバイス９１０は、測定パケットを第２のＳＴＡ９０４に送信することを開始するように測定パケット送信デバイス９１６に通知する。測定パケットを受信すると、送信器／受信器９３２は、測定パケットを測定パケット分析デバイス９３８に転送し、そこでパケットが測定される。要求された測定パケットのすべてが送信されていなければ、測定パケット送信デバイス９１６は、送信ビームを変更してから次の測定パケットを送信するようにビーム変更デバイス９２０に通知する。
【００３６】
要求された測定パケットのすべてが送信されていれば、測定レポート生成デバイス９４０は、第１のＳＴＡ９０２に送信される測定レポートを生成する。その測定レポートは測定レポート分析デバイス９２２に転送され、そこで第１のＳＴＡ９０２用の送信ビームがその測定レポートに基づいて選択される。そのあと、測定レポート分析デバイス９２２は、第１のＳＴＡ９０２用の送信ビームを変更するために選択したビームをビーム変更デバイス９２０に通知する。
【００３７】
（実施形態）
１．複数のＳＴＡを有する無線（ワイヤレス）通信システムにおいてスマートアンテナを用いて測定を行なう方法であって、該方法は、測定要求を第１のＳＴＡから第２のＳＴＡに送信するステップと、少なくとも２つの測定パケットを第２のＳＴＡから第１のＳＴＡに連続的にまたは同時に送信するステップと、各測定パケットを異なるアンテナビームを使用して第１のＳＴＡにおいて受信するステップと、各測定パケットについて第１のＳＴＡにおいて測定を実行するステップと、測定結果に基づいてアンテナビーム方向を第１のＳＴＡにおいて選択するステップと、を含むことを特徴としている。
【００３８】
２．実施形態１に記載の方法において、測定要求は送信する複数の測定パケットを含んでいることを特徴としている。
【００３９】
３．上記実施形態のいずれかに記載の方法において、送信するステップは、送信する測定パケットと測定パケットの間にフレーム間隔の間待つことを含むことを特徴としている。
【００４０】
４．実施形態３に記載の方法において、フレーム間隔は、短フレーム間隔（ＳＩＦＳ）、１未満のＳＩＦＳ、および１より大きいＳＩＦＳの１つであることを特徴としている。
【００４１】
５．上記実施形態のいずれかに記載の方法において、実行するステップは、各測定パケットの受信信号強度インジケータ（ＲＳＳＩ）を測定することを含むことを特徴としている。
【００４２】
６．実施形態５に記載の方法において、選択するステップは、測定されたＲＳＳＩ値に基づいて送信ビーム方向を選択することを含むことを特徴としている。
【００４３】
７．実施形態１乃至４のいずれかに記載の方法において、実行するステップは、各測定パケットの信号対雑音比（signal to noise ratio：ＳＮＲ）を測定することを含むことを特徴としている。
【００４４】
８．実施形態７に記載の方法において、選択するステップは、測定されたＳＮＲ値に基づいて送信ビーム方向を選択することを含むことを特徴としている。
【００４５】
９．実施形態１乃至４のいずれかに記載の方法において、実行するステップは、各測定パケットの受信信号強度インジケータ（ＲＳＳＩ）および信号対雑音比（ＳＮＲ）を測定することを含むことを特徴としている。
【００４６】
１０．実施形態９に記載の方法において、選択するステップは、測定されたＲＳＳＩ値とＳＮＲ値に基づいて送信ビーム方向を選択することを含むことを特徴としている。
【００４７】
１１．上記実施形態のいずれかに記載の方法において、測定要求を受信したとき第２のＳＴＡから第１のＳＴＡに確認応答（ＡＣＫ）を送信するステップをさらに含むことを特徴としている。
【００４８】
１２．上記実施形態のいずれかに記載の方法において、測定パケットが受信された後、アンテナの受信ビームを第１のＳＴＡにおいて異なるビームに変更するステップをさらに含み、第１のＳＴＡのおけるアンテナは異なるビームを使用して次の測定パケットを受信するようにしたことを特徴としている。
【００４９】
１３．複数のステーション（ＳＴＡ）を有する無線（ワイヤレス）通信システムにおいてスマートアンテナを用いて測定を行う方法であって、該方法は、測定要求を第１のＳＴＡから第２のＳＴＡに送信するステップと、少なくとも２つの測定パケットを第１のＳＴＡから第２のＳＴＡに連続的にまたは同時に送信するステップであって、各測定パケットは異なるアンテナビームを使用して送信されるようにしたステップと、各測定パケットを第２のＳＴＡにおいて受信するステップと、各測定パケットについて第２のＳＴＡにおいて測定を実行するステップと、測定結果に基づいて測定レポートを第２のＳＴＡにおいて生成するステップと、測定レポートを第２のＳＴＡから第１のＳＴＡに送信するステップと、測定レポートに基づいて第１のＳＴＡにおいてアンテナビーム方向を選択するステップと、を含むことを特徴としている。
【００５０】
１４．実施形態１３に記載の方法において、測定要求は送信する複数の測定パケットを含むことを特徴としている。
【００５１】
１５．上記実施形態のいずれかに記載の方法において、送信するステップは、送信する測定パケットと測定パケットの間にフレーム間隔の間待つことを含むことを特徴としている。
【００５２】
１６．実施形態１５に記載の方法において、フレーム間隔は、短フレーム間隔（ＳＩＦＳ）、１未満のＳＩＦＳ、および１より大きいＳＩＦＳの１つであることを特徴としている。
【００５３】
１７．上記実施形態のいずれかに記載の方法において、測定要求を受信したとき確認応答（ＡＣＫ）を第２のＳＴＡから第１のＳＴＡに送信するステップをさらに含むことを特徴としている。
【００５４】
１８．上記実施形態のいずれかに記載の方法において、測定パケットが送信された後、アンテナの送信ビームを第１のＳＴＡにおいて異なるビームに変更するステップをさらに含み、第１のＳＴＡのアンテナは異なるビームを使用して次の測定パケットを送信するようにしたことを特徴としている。
【００５５】
１９．上記実施形態のいずれかに記載の方法において、測定レポートを受信したとき確認応答（ＡＣＫ）を第１のＳＴＡから第２のＳＴＡに送信するステップをさらに含むことを特徴としている。
【００５６】
２０．第１のＳＴＡと第２のＳＴＡを含む無線（ワイヤレス）通信システムにおいてスマートアンテナを用いて測定を行なうシステムであって、第１のＳＴＡは、第１の送信器／受信器と、第１の送信器／受信器に接続された第１のアンテナと、第１の送信器／受信器に接続された測定パケット要求デバイスと、第１の送信器／受信器に接続された測定パケット分析デバイスと、第１の送信器／受信器および測定パケット分析デバイスに接続されたビーム変更デバイスと、を具備し、第２のＳＴＡは、第２の送信器／受信器と、第２の送信器／受信器に接続された第２のアンテナと、第２の送信器／受信器に接続された測定パケット要求受信デバイスと、第２の送信器／受信器および測定パケット要求受信デバイスに接続された測定パケット送信デバイスと、を具備していることを特徴としている。
【００５７】
２１．実施形態２０に記載のシステムにおいて、測定パケット要求デバイスは測定パケット要求を送信し、測定パケット要求が受信されたとの確認応答（ＡＣＫ）を第２のステーション（ＳＴＡ）から受信するように構成されていることを特徴としている。
【００５８】
２２．実施形態２０または２１に記載のシステムにおいて、測定パケット分析デバイスは第２のステーション（ＳＴＡ）から測定パケットを受信し、測定パケットを測定し、選択したビームをビーム変更デバイスに通知するように構成されていることを特徴としている。
【００５９】
２３．実施形態２０乃至２２のいずれかに記載のシステムにおいて、測定パケット要求受信デバイスは、第１のステーション（ＳＴＡ）から測定パケット要求を受信し、測定パケット要求が受信されたとの確認応答（ＡＣＫ）を第１のステーション（ＳＴＡ）に送信し、測定パケットを第１のステーション（ＳＴＡ）に送信することを測定パケット送信デバイスに通知するように構成されていることを特徴としている。
【００６０】
２４．実施形態２０乃至２３のいずれかに記載のシステムにおいて、測定パケット送信デバイスは、測定パケットを第１のステーション（ＳＴＡ）に送信するように構成されていることを特徴としている。
【００６１】
２５．第１のＳＴＡと第２のＳＴＡを含む無線（ワイヤレス）通信システムにおいてスマートアンテナを用いて測定を行なうシステムであって、第１のＳＴＡは、第１の送信器／受信器と、第１の送信器／受信器に接続された第１のアンテナと、第１の送信器／受信器に接続された測定パケット要求デバイスと、第１の送信器／受信器および測定パケット要求デバイスに接続された測定パケット送信デバイスと、第１の送信器／受信器および測定パケット送信デバイスに接続されたビーム変更デバイスと、第１の送信器／受信器およびビーム変更デバイスに接続された測定レポート分析デバイスと、を具備し、第２のＳＴＡは、第２の送信器／受信器と、第２の送信器／受信器に接続された第２のアンテナと、第２の送信器／受信器に接続された測定パケット要求受信デバイスと、第２の送信器／受信器に接続された測定パケット分析デバイスと、第２の送信器／受信器および測定パケット分析デバイスに接続された測定レポート生成デバイスと、を具備していることを特徴としている。
【００６２】
２６．実施形態２５に記載のシステムにおいて、測定パケット要求デバイスは、測定パケット要求を第２のステーション（ＳＴＡ）に送信し、測定パケット要求が受信されたとの確認応答（ＡＣＫ）を第２のステーション（ＳＴＡ）から受信するように構成されていることを特徴としている。
【００６３】
２７．実施形態２５または２６に記載のシステムにおいて、測定パケット送信デバイスは、測定パケットを第２のステーション（ＳＴＡ）に送信するように構成されていることを特徴としている。
【００６４】
２８．実施形態２５乃至２７のいずれかに記載のシステムにおいて、測定パケット送信デバイスは、第１のステーション（ＳＴＡ）の送信ビームを変更するようにビーム変更デバイスに通知するように構成されていることを特徴としている。
【００６５】
２９．実施形態２５乃至２８のいずれかに記載のシステムにおいて、測定レポート分析デバイスは、測定レポートを第２のステーション（ＳＴＡ）から受信し、測定レポートに基づいて第１のステーション（ＳＴＡ）のための送信ビームを選択し、第１のステーション（ＳＴＡ）の送信ビームを選択されたビームに変更するようにビーム変更デバイスに通知するように構成されていることを特徴としている。
【００６６】
３０．実施形態２５乃至２９のいずれかに記載のシステムにおいて、測定パケット要求受信デバイスは、測定パケット要求を第１のステーション（ＳＴＡ）から受信し、測定パケット要求が受信されたとの確認応答（ＡＣＫ）を第１のステーション（ＳＴＡ）に送信するように構成されていることを特徴としている。
【００６７】
３１．実施形態２５乃至３０のいずれかに記載のシステムにおいて、測定パケット分析デバイスは、測定パケットを第１のステーション（ＳＴＡ）から受信し、測定パケットを測定し、その測定を測定レポート生成デバイスに転送するように構成されていることを特徴としている。
【００６８】
３２．実施形態２５乃至３１のいずれかに記載のシステムにおいて、測定レポート生成デバイスは、測定を測定パケット分析デバイスから受信し、第１のステーション（ＳＴＡ）に送信される測定レポートを生成するように構成されていることを特徴としている。
【００６９】
以上、ＷＬＡＮと関連付けて本発明を説明してきたが、本発明の原理は他のどのタイプの無線（ワイヤレス）通信システムにも等しく適用可能である。本発明の特徴と構成要素は好適な実施形態の中で特定の組み合わせで説明されているが、各特徴または構成要素は単独で（好適な実施形態の他の特徴および構成要素なしで）使用することも、本発明の他の特徴および構成要素の有無に関係なく種々の組み合わせで使用することも可能である。
【図１】
2011188522.tif 000003
【図２】
2011188522.tif 000004
【図３】
2011188522.tif 000005
【図４】
2011188522.tif 000006
【図５】
2011188522.tif 000007
【図６】
2011188522.tif 000008
【図７】
2011188522.tif 000009
【図８】
2011188522.tif 000010
【図９】
2011188522.tif 000011